(57)【特許請求の範囲】
【請求項１】
支柱に穿設した係止孔に、ガラスパネルの裏面に取り付けた係止片を係合することにより、前記ガラスパネルを支柱に取り付けるようにした支柱へのガラスパネルの取付構造であって、
ガラスパネルの縁部に、該縁部を覆うとともに、該縁部を挾持する方向に弾性付勢された表片と裏片との一方の端部同士を結合した断面ほぼコ字形の縁部保護材を嵌合するとともに、前記縁部保護材の裏片の外端部における前記支柱と対向する箇所に、支柱側に向かって膨出することにより、ガラスパネルとの間に隙間を形成する膨出部を形成し、該膨出部に取付孔を穿設して、この取付孔に、前記係止片と一体をなす係止金具を係止させることにより、前記係止片を縁部保護材に取り付け、前記縁部保護材における裏片の内端部と前記膨出部との間に、膨出部と同じ長さだけ支柱側に突出するリブと、このリブより若干短い距離だけ支柱側に突出する係止突条とを設け、前記係止突条と膨出部とにおける互いに向かい合う側面に係止爪をそれぞれ設け、さらに、係合部材における前記縁部保護材側の面に突設した係合軸を、前記縁部保護材の裏片における前記両係止爪間に穿設した係止孔と、ガラスパネルの側部に設けた通孔とに嵌合し、かつ前記係合部材の両側部を前記両係止爪に係止し、前記膨出部を支柱の外側面に当接させて、前記係止金具における係止片を、支柱に設けた前記係止孔に係合することにより、ガラスパネルを支柱に取り付けたことを特徴とする間仕切装置における支柱へのガラスパネルの取付構造。
【請求項２】
縁部保護材における表片と裏片との間の奥端部に、前記ガラスパネルの側端部が嵌合する係合溝を形成したことを特徴とする、請求項１記載の間仕切装置における支柱へのガラスパネルの取付構造。
【発明の詳細な説明】
【０００１】
【発明の属する技術分野】
本発明は、支柱に穿設された係止孔に、ガラスパネルの裏面に設けた係止片を係合することにより、前記ガラスパネルを支柱に取り付けるようにした間仕切装置において、前記係止金具を、ガラスパネルに簡単かつ確実に取り付けるようにした、間仕切装置における支柱へのガラスパネルの取付構造に関する。
【０００２】
【従来の技術】
室内を複数のパネルをもって仕切る間仕切装置には、左右１対の支柱の前後両面に、ガラスパネルを取り付けたものがある。
ガラスパネルを支柱に取り付けるには、ガラスパネルの縁部を縁部保護材で覆い、この縁部保護材の裏面に係止金具を取り付けて、この係止金具を、支柱に設けた係止孔に係合するのが一般的である。
【０００３】
【発明が解決しようとする課題】
縁部保護材に係止金具を取り付ける従来技術の一例としては、縁部保護材に取付孔を穿設し、この取付孔に係止金具の取付部を係合するものがある。
しかし、この方法では、縁部保護材とガラスパネルとの間に隙間が無いので、係止金具の取付部を取付孔に係合しにくく、また係止金具の取付部がガラスパネルに接触して、ガラスパネルに傷が付くことがある。
【０００４】
また、ねじ止めにより、係止金具を縁部保護材に取り付ける方法もあるが、この方法では、係止金具を縁部保護材に簡単に取り付けることができない。
【０００５】
本発明は、上述のような問題点を解決するためになされたもので、支柱に穿設した係止孔に、ガラスパネルの裏面に設けた係止片を係合することにより、ガラスパネルを支柱に取り付けるようにした間仕切装置において、係止片を、ガラスパネルに簡単かつ確実に取り付けるようにした、間仕切装置における支柱へのガラスパネルの取付構造を提供することを目的としている。
【０００６】
【課題を解決するための手段】
本発明によると、上記課題は、次のようにして解決される。
(１)  支柱に穿設した係止孔に、ガラスパネルの裏面に取り付けた係止片を係合することにより、前記ガラスパネルを支柱に取り付けるようにした支柱へのガラスパネルの取付構造であって、ガラスパネルの縁部に、該縁部を覆うとともに、該縁部を挾持する方向に弾性付勢された表片と裏片との一方の端部同士を結合した断面ほぼコ字形の縁部保護材を嵌合するとともに、前記縁部保護材の裏片の外端部における前記支柱と対向する箇所に、支柱側に向かって膨出することにより、ガラスパネルとの間に隙間を形成する膨出部を形成し、該膨出部に取付孔を穿設して、この取付孔に、前記係止片と一体をなす係止金具を係止させることにより、前記係止片を縁部保護材に取り付け、前記縁部保護材における裏片の内端部と前記膨出部との間に、膨出部と同じ長さだけ支柱側に突出するリブと、このリブより若干短い距離だけ支柱側に突出する係止突条とを設け、前記係止突条と膨出部とにおける互いに向かい合う側面に係止爪をそれぞれ設け、さらに、係合部材における前記縁部保護材側の面に突設した係合軸を、前記縁部保護材の裏片における前記両係止爪間に穿設した係止孔と、ガラスパネルの側部に設けた通孔とに嵌合し、かつ前記係合部材の両側部を前記両係止爪に係止し、前記膨出部を支柱の外側面に当接させて、前記係止金具における係止片を、支柱に設けた前記係止孔に係合することにより、ガラスパネルを支柱に取り付ける。
【０００７】
(２)  上記(１)項において、縁部保護材における表片と裏片との間の奥端部に、前記ガラスパネルの側端部が嵌合する係合溝を形成する。
【０００８】
【発明の実施の形態】
以下、本発明の一実施形態を備える間仕切装置について、添付図面を参照しながら説明する。
なお、以下の説明中においては、図１の紙面の手前側を「前方」、紙面の裏側を「後方」と定義する。
【０００９】
図１に示すように、間仕切装置(１)の構造部材である方形枠状のフレーム(２)は、左右１対の金属製の支柱(３)(３)の上下２箇所を、左右方向を向く金属製の横杆(４)(４)で結合したものである。
支柱(３)の前後両面には、後述するガラスパネル(Ｇ)、パネル(Ｐ)および幅木(Ｈ)の裏面に突設された係止金具(22)（後述）を係合するための係止孔(５)が、上下方向に並べて穿設されている。
【００１０】
次に、両支柱(３)(３)の前後両面に取り付けられるガラスパネル(Ｇ)と、その側縁部に取り付けられる縁部保護材等について、図２〜図５を参照しながら詳細に説明する。
【００１１】
ガラスパネル(Ｇ)は、横長長方形状をなすガラス板であり、その左右両側部の上下３箇所には円形の通孔(６)が穿設されている。
【００１２】
ガラスパネル(Ｇ)の左右の側縁部に、この側縁部を覆うようにして取り付けられる合成樹脂製の縁部保護材(７)は、ガラスパネル(Ｇ)の高さとほぼ同じ長さのものであり、互いに平行をなして向かい合う表片(８)と裏片(９)の外側の端部同士を結合した、平面視ほぼコ字形のものである。
【００１３】
縁部保護材(７)は、ガラスパネル(Ｇ)に取り付けられる前の状態においては、表片(８)と裏片(９)の開口端部同士が殆ど閉じているが、表片(８)と裏片(９)とを拡開することにより、表片(８)と裏片(９)との間には、ガラスパネル(Ｇ)の板厚とほぼ同じ前後幅の中空部(10)が形成される。
【００１４】
裏片(９)の外端部には、支柱(３)側に向かって膨出する膨出部(11)が形成されており、裏片(９)における内端部には、ガラスパネル(Ｇ)を支柱(３)に取り付けた際に支柱(３)の側面に当接する当接片(12)が、支柱(３)側に向けて突設されている。
【００１５】
裏片(９)における当接片(12)と膨出部(11)との間には、膨出部(11)と同じ長さだけ支柱(３)側に突出するリブ(13)と、リブ(13)よりも若干短い距離だけ支柱(３)側に突出する係止突条(14)とが設けられ、係止突条(14)と膨出部(11)とにおける互いに向かい合う側面には、係止爪(15)(15)が設けられている。
【００１６】
裏片(９)における左右の係止爪(15)(15)の間の上下３箇所には、通孔(６)と同寸同形の係止孔(16)が穿設されており、膨出部(11)における支柱(３)側の面の上端部と下端部とには、後述する係止金具(22)を取り付けるための正方形をなす取付孔(17)が穿設されている。
【００１７】
表片(８)と裏片(９)の開口端部同士を、互いに遠ざかる方向に弾性変形させた後、ガラスパネル(Ｇ)の側縁部を中空部(10)に嵌合し、ガラスパネル(Ｇ)の側端部を、中空部(10)の奥端部に形成された係合溝(10a)に嵌合するとともに、表片(８)と裏片(９)とを互いに近づく方向に弾性復帰させると、表片(８)と裏片(９)の内面がガラスパネル(Ｇ)の前後面に圧接して、通孔(６)と係止孔(16)とが整合する。
【００１８】
長方形状の基片(18)における縁部保護材(７)側の面に、円柱形の係合軸(19)が突設されるとともに、基片(18)における支柱(３)側の面に基片(18)よりも横幅の狭いつまみ部(20)が突設された係合部材(21)の係合軸(19)を、通孔(６)と係止孔(16)とに嵌合し、基片(18)の左右の端部を係止爪(15)(15)と裏片(９)との間に嵌合して、係合軸(19)が通孔(６)と係止孔(16)から抜け出さないようにすることにより、縁部保護材(７)のガラスパネル(Ｇ)の側部への取付作業が完了する。
【００１９】
金属片を折り曲げて形成された係止金具(22)は、長方形状の基片(23)の左右両端部に、ガラスパネル(Ｇ)側を向くとともに、下縁部が階段状に成形された、外向きに拡開する嵌合片(24)(24)が連設され、両嵌合片(24)(24)の端部に外向きの支持片(25)(25)が形成されるとともに、係止片(24)における縁部保護材(７)側の縁部に、裏片(９)と平行をなす係合段部(26)が形成されたものである。
【００２０】
両係止片(24)を、互いに近づく方向に弾性変形させながら取付孔(17)に挿入し、膨出部(11)の内部において両嵌合片(24)(24)を外向きに弾性復帰させて、両嵌合片(24)(24)を取付孔(17)の両側面に圧接し、支持片(25)(25)を取付孔(17)の裏面の側縁部に係合するとともに、係合段部(26)(26)を裏片(９)の表面に当接することにより、係止金具(22)は上下の取付孔(17)に取り付けられる。
【００２１】
以上のような２枚のガラスパネル(Ｇ)(Ｇ)は、上下の係止金具(22)を支柱(３)の係止孔(５)に係合することにより、フレーム(２)の前後両面における上下方向の上部と中央部とに、上下に並べて取り付けられる。
【００２２】
下側のガラスパネル(Ｇ)の下方には、通常のパネル(Ｐ)と幅木(Ｈ)とが、その裏面に突設された係止金具（図示略）を支柱(３)の係止孔(５)に係合することにより、フレーム(２)の前後両面の下部に取り付けられる。
(27)は、フレーム(２)の上面を覆う上部カバーであり、(28)は、フレーム(２)の両側部を覆う側部カバーである。
【００２３】
以上のように本実施形態によれば、縁部保護材(７)に中空の膨出部(11)を形成し、膨出部(11)とガラスパネル(Ｇ)との隙間を利用して、係止金具(22)を膨出部(11)の取付孔(17)に係合しているので、係止金具(22)を縁部保護材(７)に簡単かつ確実に取り付けることができる。
【００２４】
また、ガラスパネル(Ｇ)の側縁部に、縁部保護材(７)を簡単かつ確実に取り付けることができるとともに、係合部材(21)を通孔(６)及び係止孔(16)から取り出すことにより、縁部保護材(７)をガラスパネル(Ｇ)から簡単に取り外すことができる。
【００２５】
なお、ガラスパネル(Ｇ)に縁部保護材(７)を被せると、ガラスパネル(Ｇ)の端部が係合溝(10a)に嵌合するので、ガラスパネル(Ｇ)の端部が表裏方向に移動することはない。
【００２６】
本実施形態では、ガラスパネル(Ｇ)の側縁部のみを縁部保護材(７)で覆っているが、ガラスパネル(Ｇ)の上縁部と下縁部とを、図示を省略した、縁部保護材(７)と同様の断面形状をなす横向きの縁部保護材で覆うようにすることもある。
【００２７】
【発明の効果】
本発明によれば、次のような効果を奏することができる。
(ａ)  請求項１記載の発明によれば、縁部保護材に、ガラスパネルとの間に隙間を形成する膨出部を形成し、この膨出部に穿設した取付孔に、係止金具を係合するようにしたので、係止金具を縁部保護材に簡単かつ確実に取り付けることができ、ガラスパネルの支柱への取付を簡単に行えるようになる。
【００２８】
(ｂ)  請求項２記載の発明によれば、ガラスパネルの縁部に縁部保護材を被せると、ガラスパネルの端部が係合溝に嵌合するので、ガラスパネルの端部が膨出部とガラスパネルとの隙間側に抜け出すことはない。
【図面の簡単な説明】
【図１】本発明の一実施形態を備える間仕切装置の正面図である。
【図２】同じくガラスパネルとその周辺部材の裏面を示す拡大図である。
【図３】同じく間仕切装置の上端角部の拡大分解斜視図である。
【図４】同じく図２のIV−IV線に沿う拡大横断平面図である。
【図５】同じく図１のＶ−Ｖ線に沿う拡大横断平面図である。
【図６】同じく図５のVI−VI線に沿う拡大縦断側面図である。
【符号の説明】
(１)間仕切装置
(２)フレーム
(３)支柱
(４)横杆
(５)係止孔
(６)通孔
(７)縁部保護材
(８)表片
(９)裏片
(10)中空部
(10a)係合溝
(11)膨出部
(12)当接片
(13)リブ
(14)係止突条
(15)係止爪
(16)係止孔
(17)取付孔
(18)基片
(19)係合軸
(20)つまみ部
(21)係合部材
(22)係止金具
(23)基片
(24)係止片
(25)支持片
(26)係合段部
(Ｇ)ガラスパネル
(Ｐ)通常のパネル
(Ｈ)幅木
【図１】
0003551409.tif 000002
【図２】
0003551409.tif 000003
【図３】
0003551409.tif 000004
【図４】
0003551409.tif 000005
【図５】
0003551409.tif 000006
【図６】
0003551409.tif 000007